(57)【特許請求の範囲】
【請求項１】
前面パネルの裏側に、該前面パネルの前側の投入口から投入された遊技媒体の正、不正を選別する選別手段と、該選別手段の出口を通過した正規遊技媒体を後方の貯留手段へと案内する案内シュートと、前記選別手段の除去部から除去された不正遊技媒体を、前記選別手段の左右幅に対応する左右の側壁と該側壁間の後壁とにより取り囲まれた受け入れ口で受け入れて前記前面パネルの前側の受け皿へと案内する返却通路とを備えた遊技機において、前記選別手段の出口を通過した正規遊技媒体を前記返却通路へと不正に回収する不正回収を阻止するための阻止手段を設け、該阻止手段は前記受け入れ口の前記後壁に対応する後壁部と、前記受け入れ口の前記案内シュート側の前記側壁に対応する側壁部とを一体に有し、前記後壁部及び前記側壁部の上端は前記除去部、前記出口、及び前記案内シュートの前記返却通路側の壁よりも上にしたことを特徴とする遊技機。
【発明の詳細な説明】
【技術分野】
【０００１】
本発明は、スロットマシン、パチンコ機等の遊技機に関するものである。
【背景技術】
【０００２】
スロットマシン等の遊技機は、筐体の前面に装着された前面パネルにメダル（遊技媒体）の投入口を備え、この投入口から１ゲーム当たり所定数のメダルを投入してゲームを行う。投入口から投入されたメダルは前面パネルの裏側へと案内され、選別手段により正、不正の選別を受けた後、正規のメダルは案内シュートを経て筐体内のメダルホッパーに貯留される。一方、不正メダルは選別手段で除去されて返却通路の上端の受け入れ口へと落下し、返却通路を経て排出口から前面パネルの前面下部の受け皿へと返却される。
【０００３】
この種の遊技機では、返却通路の上端の受け入れ口よりも上側に取り付け枠を配置して、その取り付け枠の左右一対の取り付け部間に選別手段が裏側から着脱自在に装着されている。また案内シュートは選別手段の出口側の取り付け部に、その出口と接続するように取り付け座を介して固定されている（特許文献１）。
【先行技術文献】
【特許文献】
【０００４】
【特許文献１】特開２００７−２８９５７７号公報
【発明の概要】
【発明が解決しようとする課題】
【０００５】
このように選別手段を返却通路の上端の受け入れ口よりも上側に配置すれば、選別手段を取り付け枠に対して着脱する際に、返却通路と干渉することなく選別手段を容易に着脱できる利点がある。
【０００６】
しかし、このような構造では、選別手段の出口側及び案内シュートの上流部が返却通路の上端の受け入れ口よりも上に位置するため、選別手段を通過した正規のメダルを返却通路を経て受け皿へと不正に回収する不正回収がなされる惧れがある。
【０００７】
即ち、返却通路の上端は上向きに大きく開口する受け入れ口となっており、この受け入れ口よりも上側に選別手段の出口がある。しかも出口側からメダルホッパー側へと円弧状に湾曲する案内シュートは、メダルの転動を容易にするため外周壁に較べて内周壁が低くなっている。
【０００８】
このため排出口から返却通路、受け入れ口を経て前面パネルの裏側へと何らかの不正部材を挿入して、この不正部材の先端を内周壁を越えて案内シュートの上流部に接続すれば、選別手段の出口と返却通路の受け入れ口との高低差を利用して、選別手段を通過した正規のメダルを不正部材により案内シュートから掬い取って不正に回収されるという惧れがある。
【０００９】
本発明は、このような問題点に鑑み、返却通路から受け入れ口を経て案内シュート側に不正部材を挿入して、この不正部材により選別手段を通過した正規遊技媒体を返却通路へと案内して不正に回収する不正回収を未然に防止することができる遊技機を提供することを目的とする。
【課題を解決するための手段】
【００１０】
本発明は、前面パネルの裏側に、該前面パネルの前側の投入口から投入された遊技媒体の正、不正を選別する選別手段と、該選別手段の出口を通過した正規遊技媒体を後方の貯留手段へと案内する案内シュートと、前記選別手段の除去部から除去された不正遊技媒体を、前記選別手段の左右幅に対応する左右の側壁と該側壁間の後壁とにより取り囲まれた受け入れ口で受け入れて前記前面パネルの前側の受け皿へと案内する返却通路とを備えた遊技機において、前記選別手段の出口を通過した正規遊技媒体を前記返却通路へと不正に回収する不正回収を阻止するための阻止手段を設け、該阻止手段は前記受け入れ口の前記後壁に対応する後壁部と、前記受け入れ口の前記案内シュート側の前記側壁に対応する側壁部とを一体に有し、前記後壁部及び前記側壁部の上端は前記除去部、前記出口、及び前記案内シュートの前記返却通路側の壁よりも上にしたものである。
【発明の効果】
【００１１】
本発明によれば、返却通路から受け入れ口を経て案内シュート側に不正部材を挿入して、この不正部材により選別手段を通過した正規遊技媒体を返却通路へと案内して不正に回収する不正回収を未然に防止することができる利点がある。
【図面の簡単な説明】
【００１２】
【図１】本発明の第１の実施形態を示すスロットマシンの斜視図である。
【図２】同筐体側の正面図である。
【図３】同前面パネルの下部の背面図である。
【図４】同前面パネルの下部の縦断面図である。
【図５】同要部の横断面図である。
【図６】同要部の斜視図である。
【図７】本発明の第２の実施形態を示す要部の斜視図である。
【図８】本発明の第３の実施形態を示す要部の斜視図である。
【図９】同要部の平面図である。
【図１０】本発明の第４の実施形態を示す要部の斜視図である。
【図１１】同要部の断面図である。
【図１２】本発明の第５の実施形態を示す要部の断面図である。
【図１３】同斜視図である。
【図１４】本発明の第６の実施形態を示す要部の横断面図である。
【図１５】同斜視図である。
【図１６】本発明の第７の実施形態を示す要部の横断面図である。
【図１７】同縦断面図である。
【図１８】本発明の第８の実施形態を示す要部の横断面図である。
【図１９】同斜視図である。
【発明を実施するための形態】
【００１３】
以下、本発明の実施形態を図面に基づいて詳述する。図１〜図６はスロットマシンに具現化した本発明の第１の実施形態を例示する。スロットマシン１は図１及び図２に示すように、筐体２と、この筐体２の前側に配置された矩形状の前面パネル３とを備えている。筐体２は前側が開放する箱形に形成されており、その前側を開閉自在に閉鎖するように前面パネル３が装着されている。
【００１４】
筐体２内には図２に示すように、複数個の図柄表示リール４ａ〜４ｃが左右方向に配列された表示リールユニット５の他、遊技媒体であるメダルを貯留するメダルホッパー６と、メダルホッパー６内のメダルを払い出す払い出し手段７と、メダルホッパー６から溢流したメダルを受ける補助ケース８と、電源基板が格納された電源基板ケース９と、主制御基板１０が格納された主制御基板ケース１１とが配置されている。
【００１５】
表示リールユニット５は、筐体２の中間棚１２上に着脱自在に装着されている。主制御基板ケース１１は中間棚１２の下側で筐体２の後壁等に着脱自在に装着されている。メダルホッパー６は払い出し手段７の上に結合され、また払い出し手段７が補助ケース８、電源基板ケース９と共に筐体２の底板１３上に着脱自在に装着されている。
【００１６】
前面パネル３は左右一端側に配置された上下一対のヒンジ手段（図示省略）を介して筐体２に開閉自在に装着されており、この前面パネル３の上部側には第１表示窓１５と第２表示窓１６とが上下に配置されている。第１表示窓１５は、筐体２側の図柄表示リール４ａ〜４ｃに対応して矩形状に形成されており、遊技者はこの第１表示窓１５を介して図柄表示リール４ａ〜４ｃを前側から視認可能となっている。
【００１７】
第２表示窓１６は、前面パネル３の裏側に装着された液晶表示ユニット（図示省略）の表示画面１７に対応して矩形状に形成されており、遊技者はこの第２表示窓１６を介して表示画面１７を前側から視認可能となっている。第２表示窓１６の下側には、上部側に上操作パネル部１８と前操作パネル部１９とを有する前カバー２０が前側に張り出して設けられている。
【００１８】
上操作パネル部１８にはメダルを投入可能な投入口２２の他、１ベットボタン２３とマックスベットボタン２４とキャンセルボタン２５とが設けられている。１ベットボタン２３とマックスベットボタン２４は、投入口２２へのメダルの投入に代えてクレジットからメダルをベットするためのものである。
【００１９】
前操作パネル部１９には、図柄表示リール４ａ〜４ｃの回転を開始させるためのスタートレバー２６と、回転中の図柄表示リール４ａ〜４ｃを夫々個別に停止させるためのストップボタン２７ａ〜２７ｃと、投入口２２内に詰まったメダルを返却させるための返却ボタン２８とが設けられている。
【００２０】
前面パネル３の下部側は前カバー２０に比して大きく後方に後退しており、この前面パネル３の下部側には、払い出し手段７から払い出されたメダルや返却されたメダルを前側に排出するための排出口３０と、排出口３０から排出されたメダルを受ける受け皿３１と、この受け皿３１の一側に配置された灰皿３２とが設けられている。なお、排出口３０の左右両側には、スピーカ３３が配置されている。
【００２１】
払い出し手段７は、図２に示すように、メダルホッパー６の下側の払い出しケース３５内で傾斜軸廻りに回転する回転円板３６と、この回転円板３６を駆動する駆動モータ（図示省略）とを備え、その回転円板３６の回転により、払い出しケース３５の前側の払い出し口３７からメダルを前方へと払い出すように構成されている。
【００２２】
前面パネル３は合成樹脂材料により一体に成形され且つその骨格体を構成するパネル体３８を備え、このパネル体３８の前側に装飾用の前カバー２０と、この前カバー２０を裏側から照明する照明ランプ３９等の所要部材が装着されている。
【００２３】
パネル体３８の裏側には、図３、図４に示すように、投入口２２から投入されたメダルの正、不正を選別する選別手段４１と、選別手段４１を通過した正規のメダルをメダルホッパー６へと案内する案内シュート４２と、選別手段４１により排除された不正メダル、返却メダルを排出口３０を経て受け皿３１へと排出する返却通路４３と、選別手段４１を通過したメダルを返却通路４３へと不正に回収する不正回収を阻止するための阻止手段４４とが設けられている。
【００２４】
パネル体３８には、図３、図４に示すように、上操作パネル部１８の下側で前操作パネル部１９の裏側に対応して前側にコ字状に突出する突出壁４５が設けられ、この突出壁４５の裏側に形成された装着凹部４６内に取り付けボス４７、取り付け枠４８を介して選別手段４１、案内シュート４２が左右に配置されている。
【００２５】
突出壁４５の下後端から下側に延びる縦壁４９と、この縦壁４９の下側にジグザグ状に形成され且つ全体として裏側に傾斜する屈曲壁５０と、この屈曲壁５０の後端から下方に延びる縦壁５１と、この縦壁５１の下端から後ろ下がりに傾斜する傾斜壁５２と、この傾斜壁５２の後端から下方前側に若干傾斜する縦壁５３と、縦壁５３の下端から後側に屈曲する底壁５４とを一体に備えている。縦壁５３には排出口３０が形成され、またその前側に受け皿３１が装着されている。
【００２６】
返却通路４３は、図３、図４に示すように、パネル体３８と、このパネル体３８の後側に装着された横断面コ字状の通路形成体５６とにより構成され、選別手段４１の下側からパネル体３８の左右方向の中央側へと傾斜する傾斜通路部５７と、この傾斜通路部５７の下端から排出口３０側へと下方に延びる縦通路部５８とを有する。傾斜通路部５７の上端はメダルホッパー６よりも上にあり、選別手段４１の下側と対向して上向きに開口する受け入れ口５９となっている。なお、受け入れ口５９は平面視横長矩形状になっている。
【００２７】
通路形成体５６の後壁６０は前面パネル３を閉じたときにメダルホッパー６、払い出し手段７に近接するように、そのメダルホッパー６、払い出し手段７の前面形状に沿って屈曲している。そして、返却通路４３の途中の後壁６０には払い出し手段７の払い出し口３７に対応する入口６１が設けられ、払い出し口３７から払い出されたメダルを入口６１から返却通路４３を介して排出口３０から受け皿３１へと案内するようになっている。
【００２８】
取り付け枠４８は図３〜図５に示すように、板金材を平面視コ字状に折り曲げたものであって、左右方向の連結部６３と、この連結部６３の左右両端から後方へと屈曲する左右一対の取り付け部６４とを一体に備え、その連結部６３が受け入れ口５９の上側で取り付けボス４７等を介してパネル体３８の裏面に固定されている。左右の取り付け部６４は返却通路４３の受け入れ口５９側の左右の側壁６５と上下方向に近接して略平行に配置されている。
【００２９】
選別手段４１は、投入口２２に投入されたメダルの正、不正を選別して、不正メダルを受け皿３１側に返却し、正規のメダルのみを案内シュート４２を経てメダルホッパー６へと通過させるもので、取り付け枠４８に裏側から着脱自在に装着されている。
【００３０】
この選別手段４１は、投入口２２に投入されたメダルが上向きに開口する入口６８から入り、内部の傾斜通路６６を経て取り付け枠４８側の出口７０へと移動する間に正、不正を判別して、不正メダルを傾斜通路６６の途中の開口状の除去部６７から受け入れ口５９へと落下させて除去し、正規のメダルのみを出口７０から案内シュート４２へと通過させるようになっている。
【００３１】
なお、選別手段４１は受け入れ拒否状態のときにも、傾斜通路６６のメダルを除去部７２から受け入れ口５９へと落下させて返却するようになっている。また選別手段４１には正規のメダルの通過数を計数するための検出手段（図示省略）が適当箇所に設けられている。
【００３２】
一対の取り付け部６４のうち、案内シュート４２側の取り付け部６４には、図４、図６に示すように、選別手段４１の流下通路６９に連通する出口７０が返却通路４３の受け入れ口５９よりも高い位置に形成され、また選別手段４１の反対側に出口７０に接続する案内シュート４２が取り付け座７５を介して取り付けられている。
【００３３】
案内シュート４２は図３、図５、図６に示すように、出口７０に対応して横向きに配置された上流部７６と、メダルホッパー６に対応して後ろ向きに配置された下流部７７との間で徐々に傾斜しながら平面視円弧状に湾曲し、その上流端側に一体に設けられた取り付け座７５を介して取り付け部６４の側面にネジ等で着脱自在に固定されている。また案内シュート４２は湾曲部分でもメダルが転動しながら円滑に通過できるように、内周壁７８が低く外周壁７９が高くなる断面略Ｊ字状に形成されている。
【００３４】
返却通路４３の受け入れ口５９側の後壁６０は、選別手段４１で除去された不正メダルが確実に受け入れ口５９内に入るように、選別手段４１の下部側との間に前後方向に十分な間隔がある。また取り付け枠４８の左右一対の取り付け部６４は、後端が選別手段４１の上部側の後端側と略一致する側面視縦長矩形状であって、その後端は返却通路４３の後壁６０よりも前側に位置している。
【００３５】
阻止手段４４は図３〜図６に示すように、返却通路４３と案内シュート４２との間に配置されており、一方の取り付け部６４の下部側から返却通路４３の側壁６５に沿って後壁６０の近傍へと一体に突出する板状の阻止部材８１により構成されている。この阻止部材８１は少なくとも返却通路４３の側壁６５の上端近傍から出口７０の下部側、例えば出口７０の下端よりも若干上の範囲に対応して設けられ、その後端は返却通路４３の後壁６０と略同じか、又は後壁６０よりも若干前若しは若干後となっている。
【００３６】
なお、阻止部材８１は図４、図６に二点鎖線で示すように高くし、またメダルホッパー６に近接するか、メダルホッパー６上に達するように後方に突出してもよい。
【００３７】
このようなスロットマシン１では、ゲームに際しては投入口２２から所定数のメダルを投入するかベットボタン２３，２４を押した後、スタートレバー２６を操作して表示リールユニット５の各図柄表示リール４ａ〜４ｃを回転させる。
【００３８】
投入口２２にメダルを投入すると、そのメダルは選別手段４１の流下通路６９に入り、この流下通路６９を通過する間に正、不正の判別が行われる。そして、小径の不正メダルは除去部７２の開口から受け入れ口５９へと落下した後、返却通路４３を経て受け皿３１へと返却される。
【００３９】
正規のメダルは選別手段４１から出口７０、案内シュート４２を経てメダルホッパー６へと案内され、メダルホッパー６に順次貯留されて行く。そして、正規のメダルが選別手段４１を通過する毎に検出手段がその通過を検出して、カウンタによりメダルの投入数がカウントされゲームに供されることになる。
【００４０】
返却通路４３の受け入れ口５９が選別手段４１の下側で大きく開口しており、しかもその受け入れ口５９が出口７０よりも低い位置にある。そのため選別手段４１を通過した後の正規のメダルを返却通路４３を経て不正に回収する不正工作に当たっては、返却通路４３の排出口３０から不正部材を入れて受け入れ口５９から前面パネル３の裏側に挿入した後、その不正部材の先端を出口７０又は案内シュート４２の上流部７６に接続することが考えられる。
【００４１】
しかし、この実施形態では、選別手段４１の取り付け枠４８の左右一対の取り付け部６４のうち、案内シュート４２側の取り付け部６４に阻止手段４４を設けているので、返却通路４３の受け入れ口５９から前面パネル３の裏側に不正部材を挿入しても、この阻止手段４４が障害となって不正部材の先端を出口７０又は案内シュート４２の上流部７６側に接続することは非常に困難である。このため選別手段４１を通過したメダルを受け入れ口５９から返却通路４３を経て不正に回収するような不正回収を未然に防止することができる。
【００４２】
また阻止手段４４は取り付け部６４の下部から後方に突出する板状の阻止部材８１により構成されており、構造的に簡単である上に取り付け枠４８の製作時に容易に製作できるため、安価に製作できる利点がある。
【００４３】
更に阻止手段４４を構成する阻止部材８１が取り付け部６４から後方に突出するだけであるため、前面パネル３の裏側の取り付け枠４８に対する選別手段４１の着脱に支障を来すようなこともない。勿論、選別手段４１の下側に返却通路４３の受け入れ口５９があるため、選別手段４１の着脱は従来と同様に行うことができる。
【００４４】
なお、この実施形態では、阻止部材８１を取り付け部６４の下部に設けているが、取り付け部６４の略全体に阻止部材８１を設けてもよい。この場合には、取り付け枠４８の左右一対の取り付け部６４のうち、選別手段４１に対して案内シュート４２側の取り付け部６４は、反対側の取り付け部６４よりも後方に長く構成することになる。
【００４５】
図７は本発明の第２の実施形態を例示する。この実施形態では、返却通路４３の受け入れ口５９側の左右一対の側壁６５のうち、案内シュート４２側の側壁６５に上向きに突出する阻止手段４４が設けられており、この阻止手段４４は後壁６０の上端よりも上側に突出する阻止部材８１により構成されている。
【００４６】
阻止部材８１は取り付け部６４と返却通路４３の後壁６０との間を塞ぐように配置され、その高さは出口７０の下端よりも若干高い程度である。つまり、阻止部材８１は少なくとも出口７０の下部に対応する高さとなっている。勿論、阻止部材８１は二点鎖線で示すように高くしてもよい。
【００４７】
このように返却通路４３の案内シュート４２側の側壁６５から上端に突出する阻止部材８１により阻止手段４４を構成してもよく、この場合にも第１の実施形態と同様に不正回収を未然に防止することができる。
【００４８】
なお、この実施形態では、取り付け部６４の後側に阻止部材８１を設けているが、阻止部材８１はその一部が取り付け部６４と左右に重合するように設けてもよい。また案内シュート４２の上流部７６側と返却通路４３の上端の受け入れ口５９との間での不正部材の橋渡しを阻止できるならば、取り付け部６４と阻止部材８１との間に若干の隙間を設けてもよいし、阻止部材８１を出口７０の下端よりも若干低くしてもよい。
【００４９】
図８、図９は本発明の第３の実施形態を例示する。この実施形態では、案内シュート４２の取り付け座７５側に一体に阻止手段４４が設けられている。即ち、案内シュート４２の上流側端には、その外周壁７９から前側に突出する取り付け座７５と、内周壁７８から後側に突出し且つ阻止手段４４を構成する阻止部材８１とが一体に設けられている。
【００５０】
阻止部材８１は返却通路４３の側壁６５の近傍から内周壁７８と略同程度の上下幅を有し、その後端は返却通路４３の後壁６０の近傍程度である。なお、阻止部材８１と内周壁７８との間には補強リブ８２が設けられている。また阻止部材８１の後端は、図８に二点鎖線で示すようにメダルホッパー６側に突出してもよい。
【００５１】
取り付け座７５は１個又は複数個、例えば上下一対の位置決め突起８３と、取り付け孔８４とを有し、その位置決め突起８３が取り付け部６４の位置決め孔に挿入され、取り付け孔８４に挿通されたネジにより取り付け部６４に着脱自在に固定されている。取り付け座７５と阻止部材８１は案内シュート４２の下側で連結されている。
【００５２】
この場合には、案内シュート４２を取り付け枠４８の取り付け部６４に取り付けたときに、その阻止部材８１が返却通路４３の側壁６５の上側近傍で取り付け枠４８の取り付け部６４の後端から後方に突出するため、第１の実施形態と同様に不正回収を未然に防止することができる。
【００５３】
また阻止部材８１は案内シュート４２の上流端に取り付け座７５と一体に設けているので、樹脂成型等で案内シュート４２を成型することにより容易に製作することができる。また阻止部材８１と内周壁７８との間に補強リブ８２があるため、阻止部材８１は案内シュート４２の上流端から後方に突出しているにも拘わらず、その阻止部材８１の損傷等を防止できる。
【００５４】
図１０、図１１は本発明の第４の実施形態を例示する。この実施形態では、阻止手段４４は着脱手段８５を介して返却通路４３の上端部に着脱自在に装着された板状の阻止部材８１により構成されている。
【００５５】
阻止部材８１は返却通路４３の受け入れ口５９側の側壁６５に対応する側壁部８１ａと後壁６０に対応する後壁部８１ｂとを備えた平面視Ｌ字状であって、選別手段４１を裏側から覆うようになっている。着脱手段８５は、返却通路４３の後壁６０等に設けられた保持部８７と、阻止部材８１から下方に突出し且つ保持部８７に挿脱自在な脚部８８とを有する。なお、着脱手段８５は阻止部材８１を返却通路４３の上端部側に着脱自在に固定できるものであればよく、例えばネジで阻止部材８１を固定する構造でもよい。
【００５６】
このように返却通路４３の受け入れ口５９上に接続して選別手段４１を裏側から覆うように阻止部材８１を設けても、不正回収を未然に防止することができる。また選別手段４１を着脱する際には、阻止部材８１を取り外せばよいので、返却通路４３上に阻止部材８１を接続しているにも拘わらず、選別手段４１を容易に着脱することができる。
【００５７】
図１２、図１３は本発明の第５の実施形態を例示する。この実施形態の図１２（ａ）では取り付け部６４の阻止部材８１がフォーク状に構成され、図１２（ｂ）では側壁６５上の阻止部材８１が開口８１ａを有する格子状に構成されている。図１３では案内シュート４２の阻止部材８１が夫々フォーク状に構成されている。
【００５８】
このように阻止手段４４を構成する阻止部材８１は、必ずしも板状である必要はなく、返却通路４３の受け入れ口５９と案内シュート４２との間での不正部材の橋渡しを阻止できるものであれば十分である。従って、例えば、阻止部材８１は１本又は複数本の棒状でもよいし、編み目状等でもよい。また真っ直ぐである必要はない。
【００５９】
図１４、図１５は本発明の第６の実施形態を例示する。この実施形態では、阻止手段４４は取り付け部６４からメダルホッパー６の上方へと伸びており、その後端は案内シュート４２の後端と同程度、又は案内シュート４２の後端よりも後方に達し、二点鎖線で示すような円弧状経路９０に沿って不正部材を配置して行うメダルの不正回収を阻止できるようになっている。
【００６０】
即ち、不正回収の態様として、二点鎖線で示す円弧状経路９０に沿って湾曲状に復元する形状記憶性を有する樋状の不正部材を使用して、この不正部材を案内シュート４２の上流部７６と返却通路４３の受け入れ口５９側とに跨がって掛け渡してメダルを転動させながら不正に回収することが考えられる。
【００６１】
このような場合でも、図１４に示すように阻止部材８１をメダルホッパー６上に突出して配置することにより、円弧状経路９０に沿っての不正部材の配置が困難となる。このため不正回収を更に確実に防止することができる。
【００６２】
なお、この第６の実施形態では、取り付け枠４８の取り付け部６４に一体に設けた阻止部材８１をメダルホッパー６上まで後方に伸ばしているが、返却通路４３の側壁６５又は案内シュート４２に突出部材８１を一体に設ける場合にも、第６の実施形態と同様に後方に大きく伸ばしてもよい。また突出部材８１は取り付け部６４、側壁６５又は案内シュート４２に着脱自在に設けてもよい。
【００６３】
図１６、図１７は本発明の第７の実施形態を例示する。この実施形態では、第６の実施形態とは異なり阻止部材８１は板状、棒状等であって、一端側が横方向の支軸９１により取り付け部６４に枢支され、後方へと突出する阻止位置Ｘと、支軸９１から上側へと取り付け部６４に沿って起立する収容位置Ｙとの間で姿勢変更可能である。
【００６４】
阻止部材８１は阻止位置Ｘでストッパー９２と抵抗手段９３とにより保持されており、阻止位置Ｘから収容位置Ｙへは回動し難くなっている。阻止部材８１のストッパー９２は取り付け部６４の下側に係合している。抵抗手段９３は取り付け部６４側の突部９４と阻止部材８１側の突部９５とにより構成され、阻止部材８１が阻止位置Ｘから収容位置Ｙへと回動するときに、両突部９４，９５が相対的に乗り越えるようになっている。
【００６５】
この場合には、阻止部材８１が阻止位置Ｘと収容位置Ｙとの間で姿勢変更可能であるため、阻止部材８１がメダルホッパー６上に大きく突出するにも拘わらず、その阻止部材８１が邪魔になるようなことはなく、前面パネル３を開放して裏側の点検等を行う際に便利である。
【００６６】
なお、この第７の実施形態では、取り付け枠４８の取り付け部６４に阻止部材８１を枢着しているが、返却通路４３の側壁６５、案内シュート４２の取り付け部６４側に阻止部材８１を同様に枢着して阻止位置Ｘと収容位置Ｙとの間で姿勢変更可能にしてもよい。
【００６７】
図１８、図１９は本発明の第８の実施形態を例示する。この実施形態では、第６、第７の実施形態とは異なって阻止部材８１が返却通路４３の側壁６５に着脱手段８５を介して着脱自在に装着されている。着脱手段８５は、返却通路４３の側壁６５に設けられた保持部８７と、阻止部材８１から下方に突出し且つ保持部８７に挿脱自在な脚部８８とを有する。なお、着脱手段８５は阻止部材８１を返却通路４３の上端部側に着脱自在に固定できるものであればよく、例えばネジで阻止部材８１を固定する構造でもよい。
【００６８】
この場合には、阻止部材８１が着脱手段８５により着脱自在であるため、阻止部材８１がメダルホッパー６上に大きく突出するにも拘わらず、その阻止部材８１が邪魔になるようなことはなく、前面パネル３を開放して裏側の点検等を行う際に便利である。
【００６９】
なお、この第８の実施形態では、阻止部材８１を返却通路４３の側壁６５に着脱自在に装着しているが、後壁６０に装着してもよい。また阻止部材８１は取り付け枠４８の取り付け部６４、又は案内シュート４２の取り付け部７５側に着脱自在に装着してもよい。
【００７０】
以上、本発明の実施形態について詳述したが、本発明はこの実施形態に限定されるものではなく、本発明の趣旨を逸脱しない範囲で種々の変更が可能である。例えば、実施形態では、取り付け枠４８の取り付け部６４、返却通路４３の側壁６５、案内シュート４２の基部に阻止手段４４を構成する阻止部材８１を夫々一体に設ける場合を例示しているが、これらの阻止部材８１は別体構造にして着脱自在に設けてもよい。また返却通路４３の上端に阻止部材８１等の阻止手段４４を着脱手段８５を介して着脱自在に設ける場合には、他の構造を採用してもよい。
【００７１】
更に阻止手段４４は他の構造でもよいし、返却通路４３の受け入れ口５９と案内シュート４２との間に配置できれるものであれば、他の部分に取り付けてもよい。また遊技媒体がメダルの場合には、不正工作に際してはメダルを不正部材に沿って転動させながら返却通路４３へと誘導することになるので、阻止手段４４は不正部材上でのメダルの転動を阻止できる構造であればよく、その阻止手段４４と取り付け部６４との間、阻止手段４４と返却通路４３の側壁６５との間等に若干の隙間があってもよい。
【００７２】
また第４の実施形態の後壁部８１ｂを有する阻止部材８１と、他の各実施形態に例示の阻止部材８１とを組み合わせて阻止手段４４を構成してもよい。つまり、返却通路４３の側壁６５側は第１〜第３、第５の実施形態の何れかの構造とし、返却通路４３の後壁６０側は第４の実施形態の阻止部材８１としてもよい。
【００７３】
阻止手段４４は、投入口２２から投入されたメダルが選別手段４１を通過した後、その慣性力によって阻止手段４４上を乗り越え得ない程度の高さであればよく、流下通路６９の勾配が小さい等により慣性力が比較的小さい場合には、阻止手段４４の上端は出口７０の下端よりも若干低くしてもよい。しかし、メダル投入時に加速してメダルが投入される場合等を考慮すると、安全上、出口７０の下部と同程度の高さであることが望ましい。勿論、それ以上の高さでもよい。
【００７４】
更に貯留手段としてメダルホッパー６を例示しているが、ホッパー以外のタンク等でもよい。また遊技媒体はメダル以外のものでもよいし、遊技機はスロットマシン以外のものでもよい。
【符号の説明】
【００７５】
３  前面パネル
６  貯留手段
２２  投入口
３１  受け皿
４１  選別手段
４２  案内シュート
４３  返却通路
４４  阻止手段
４８  取り付け枠
５９  受け入れ口
６４  取り付け部
６５  側壁
７０  出口
７５  取り付け座
【図１】
0005244224.tif 000002
【図２】
0005244224.tif 000003
【図３】
0005244224.tif 000004
【図４】
0005244224.tif 000005
【図５】
0005244224.tif 000006
【図６】
0005244224.tif 000007
【図７】
0005244224.tif 000008
【図８】
0005244224.tif 000009
【図９】
0005244224.tif 000010
【図１０】
0005244224.tif 000011
【図１１】
0005244224.tif 000012
【図１２】
0005244224.tif 000013
【図１３】
0005244224.tif 000014
【図１４】
0005244224.tif 000015
【図１５】
0005244224.tif 000016
【図１６】
0005244224.tif 000017
【図１７】
0005244224.tif 000018
【図１８】
0005244224.tif 000019
【図１９】
0005244224.tif 000020